(57)【要約】【課題】グループ分けされて管理された画像群から目的の画像を効率的に検索できるようにした表示装置を提供する。【解決手段】このカメラ１は、画像保存メモリ１７にグループ分けされて管理された画像を各グループ毎に複数グループ同時に表示させるアルバムモードを有している。そして、このアルバムモード時、ＣＰＵ１８は、操作部２０から通知される上下キーや左右キーの操作に応じて、この同時表示される複数のグループそれぞれの画像を各グループ毎に別個にスクロールさせるべく、画像保存メモリ１７からの画像の読み出し、表示駆動部１４による読み出し画像の表示等を制御する。【選択図】図２
2006268010.tif 000002
【特許請求の範囲】
【請求項１】
画像を表示する表示部と、
グループ分けされた画像を各グループ毎に複数グループ同時に前記表示部に表示させるとともに、表示される画像の切換えを制御する制御部と、
表示部に表示される画像の切換えを指示する切換え指示部と、
表示部に表示される複数のグループの中からグループを選択する選択指示部と、を備え
前記制御部は、前記切換え指示部による切換えの指示があったときには、画面に表示されている画像の中で、前記選択指示部により選択されたグループとして表示される画像についてのみ、前記指示に応じて切り替える
ことを特徴とする表示装置。
【請求項２】
前記制御部は、前記切換え指示部からの指示に応じて、画像の列をスクロールさせて画像を切り替えることを特徴とする請求項１記載の表示装置。
【請求項３】
前記御部は、前記切換え指示部からの更なる指示に応じて、前記スクロールの速度を変化させることを特徴とする請求項２記載の表示装置。
【請求項４】
前記制御部は、前記選択指示部により選択されたグループで表示される画像を前記切換え指示部からの指示に応じて切り替えている際、前記選択指示部により他のグループが新たに選択されて前記切換え指示部からの指示を受けた場合、先のグループについての画像の切り替えを継続しつつ、この切り替えとは別個に、後のグループについての画像の切り替えを開始することを特徴とする請求項１記載の表示装置。
【請求項５】
前記制御部は、画像の列をスクロールさせるように画像を切り替え、このスクロールの速度およびその方向の少なくとも一方を各グループ毎に独立させて制御することを特徴とする請求項４記載の表示装置。
【請求項６】
請求項１記載の表示装置と
被写体像を撮影する撮像部とを備え、
前記制御部は、前記撮像部により撮影された画像をグループ分けされた画像として表示部に表示させる
ことを特徴とするカメラ。
【請求項７】
グループで管理される画像を表示部に表示する表示方法において、
グループ分けされて管理された画像を各グループ毎に複数グループ同時に表示し、画像の切換えの指示があったときには、前記複数のグループの中から任意に選択されるグループについて、そのグループで表示される画像を切り替え指示に応じて切り替える
ことを特徴とする表示方法。
【請求項８】
グループで管理される画像を表示部に表示する表示方法をコンピュータに実行させるプログラムを記憶したコンピュータ読み取り可能な記憶媒体において、
前記表示方法は、グループ分けされて管理された画像を各グループ毎に複数グループ同時に表示し、画像の切換えの指示があったときには、前記複数のグループの中から任意に選択されるグループについて、そのグループで表示される画像を切り替え指示に応じて切り替える
ことを特徴とするコンピュータ読み取り可能な記憶媒体。
【請求項９】
グループで管理される画像を表示部に表示する表示方法をコンピュータに実行させるプログラムにおいて、
前記表示方法は、グループ分けされて管理された画像を各グループ毎に複数グループ同時に表示し、画像の切換えの指示があったときには、前記複数のグループの中から任意に選択されるグループについて、そのグループで表示される画像を切り替え指示に応じて切り替える
ことを特徴とするプログラム。
【発明の詳細な説明】
【技術分野】
【０００１】
この発明は、例えばデジタルカメラやＰＤＡ（personal digital assistant）などの電子機器に適用して好適な画像検索のための表示制御技術に関する。
【背景技術】
【０００２】
近年、例えばＣＣＤ（charge coupled device）などの半導体撮像素子によって被写体像を撮像するデジタルカメラが広く普及している。この種のカメラに内蔵または取り外し自在に収納される画像保存用の記録媒体は大規模化の一途を辿っている。そして、この大容量化に伴って、記録媒体に記録可能な画像数が膨大な数となってきている。例えば５００ＭＢの記録媒体で、中程度の撮影画質の静止画であれば、約１０００枚程度は記録可能である。このように格納可能な枚数が増えると、問題になるのは画像の検索である。
【０００３】
画像検索のための代表的な手法として、いわゆるサムネイル画像からなる集合画像を順番に表示させていく方法がある。通常、カメラ背面のＬＣＤ表示の面積を考慮して、１つの画面に縦３枚横３枚の計９画像を撮影の順番に従って纏めて表示させ、操作ボタンの操作で表示される画像を順次切り替えて、希望画像を検索するというものである。
【０００４】
また、媒体に記録されている撮像画像を撮像順番で一括管理する方法ではなく、記録されている画像を予め複数のグループの単位に分けておき、検索時には、このグループ単位で表示させて、希望の画像を検索するという方法もある（例えば特許文献１等参照）。グループ単位に分けておくことで、検索する画像数を少なくすることができ、検索時間の短縮が期待される。
【特許文献１】特開２００２−２１１０４９公報
【発明の開示】
【発明が解決しようとする課題】
【０００５】
前述のように、記録媒体に格納されている画像を、例えばジャンルや撮影者毎のグループに分けて管理しておき、グループ画像を複数の小画像で順次表示させていけば、短時間で希望の画像を探せるようになる。
【０００６】
しかしながら、このグループの種類を増やしていくと、逆に目当ての画像が属するグループが特定できないと、却って検索に手間取ることになる。つまり、前述のようなグループ単位で表示されるカメラで、グループ名が特定できないときは、可能性のあると思われるグループを１つ１つ呼び出して、順次目当ての画像を探していくしかない。
【０００７】
こうなると、せっかくグループ化しておいても、その効果が十分に生かされなくなってしまう。
【０００８】
この発明は、このような事情を考慮してなされたものであり、グループ分けされて管理された画像群から目的の画像を効率的に検索できるようにした表示装置、カメラおよび表示方法等を提供することを目的とする。
【課題を解決するための手段】
【０００９】
前述の目的を達成するために、この発明の第１の表示装置は、画像を表示する表示部と、グループ分けされた画像を各グループ毎に複数グループ同時に前記表示部に表示させるとともに、表示される画像の切換えを制御する制御部と、表示部に表示される画像の切換えを指示する切換え指示部と、表示部に表示される複数のグループの中からグループを選択する選択指示部と、を備え  前記制御部は、前記指示部による切換えの指示があったときには、画面に表示されている画像の中で、前記選択指示部により選択されたグループとして表示される画像についてのみ、前記指示に応じて切り替えることを特徴とする。
【００１０】
また上記第１の表示装置で、前記制御部は、前記選択指示部により選択されたグループで表示される画像を前記切換え指示部からの指示に応じて切り替えている際、前記選択指示部により他のグループが新たに選択されて前記切換え指示部からの指示を受けた場合、先のグループについての画像の切り替えを継続しつつ、この切り替えとは別個に、後のグループについての画像の切り替えを開始することを特徴とする。
【００１１】
さらに上記制御部は、画像の列をスクロールさせるように画像を切り替え、このスクロールの速度およびその方向の少なくとも一方を各グループ毎に独立させて制御することを特徴とする
またこの発明は、上記第１の表示装置と被写体像を撮影する撮像部とを備え、
前記制御部は、前記撮像部により撮影された画像をグループ分けされた画像として表示部に表示させることを特徴とするカメラ。
【００１２】
さらに、この発明の表示方法は、グループで管理される画像を表示部に表示する表示方法において、グループ分けされて管理された画像を各グループ毎に複数グループ同時に表示し、画像の切換えの指示があったときには、前記複数のグループの中から任意に選択されるグループについて、そのグループで表示される画像を切り替え指示に応じて切り替えることを特徴とする。
【発明の効果】
【００１３】
この発明によれば、グループ分けされて管理された画像群から目的の画像を効率的に検索できるようにした表示装置、カメラおよび表示方法等を提供できる。
【発明を実施するための最良の形態】
【００１４】
以下、図面を参照してこの発明の実施形態について説明する。図１は、本発明の第１実施形態に係る表示装置を内部に有するデジタルカメラ１の背面図である。
【００１５】
図１に示すように、カメラ１の背面には、表示部２の表示面が配置される。表示部２は、例えばＬＣＤ（liquid crystal display）から構成される。カメラ１の背面の右横には、モードダイヤル３、上下キー４ａおよび左右キー４ｂからなるＸＹ操作キー４、ＯＫキー５などの操作部材が配置される。また、カメラ１の上面には、レリース釦６が設けられる。
【００１６】
モードダイヤル３は、回動操作されて、カメラ１の動作モードを設定するためのものである。このカメラ１は、画像を撮影する撮影モードと、撮影した画像を再生する再生モードとを有する。そして、再生モードの中の一形態として、任意に画像が登録されるグループ毎に、そのグループに属する画像を表示させていくことのできるアルバムモードをさらに有している。以下、画像を分類整理するためのグループをアルバムと称することがある。図１に示されるモードダイヤル３の回動位置は、このアルバムモードを設定した場合の位置である。
【００１７】
また、ＸＹ操作キー４は、表示部２に縦方向に配列された複数の選択肢の中からいずれかを選択したり（上下キー４ａ）、横方向に配列された複数の選択肢の中からいずれかを選択する（左右キー４ｂ）ためのものである。つまり、上下キー４ａは選択指示部、左右キー４ｂは切換え指示部となる。そして、ＯＫキー５は、このＸＹ操作キー４によって選択された状態にある選択肢の選択を確定させるためのものである。
【００１８】
前述のように、このカメラ１では、グループ毎に画像を表示させていくことのできるアルバムモードを有しており、アルバムモード時には、縦方向にグループが所定数配列され、かつ、横方向に各グループの画像が所定数配列される。そして、この実施形態のカメラ１は、アルバムモード時に２次元マトリックス状に配列されることとなる各画像の中から、ＸＹ操作キー４およびＯＫキー５を使って目当ての画像を探し当てる際の効率を飛躍的に向上させる表示制御を実現するものである。なお、レリース釦６は、いわゆるモニター画として表示部２に表示されている被写体像の画像データを記録したい場合に、その旨を指示するためのものである。
【００１９】
図２は、このカメラ１の構成を示すブロック図である。
【００２０】
このカメラ１を機能ブロックとして、撮像部と表示装置を有する。撮像部は、レンズ１１、撮像素子１２、撮像回路部１３から主に構成される。表示装置は、表示部２、表示駆動部１４、画像処理部１６、ＣＰＵ１８，ＲＯＭ１９、操作部２０等から主に構成される。
【００２１】
レンズ１１を通過した被写体光が撮像素子１２に入射すると、その撮像面上に被写体像が結像される。この撮像素子１２の露光や読み出し等の各種制御は、撮像回路部１３によって行われ、この撮像回路部１３により、撮像素子１２の画像信号は、ＩＳＯ感度設定、オートホワイトバランス、輝度／色信号生成、ガンマ処理等が施されて、所定フォーマットのカラー画像信号に変換される。
【００２２】
撮影モード時には、このカラー画像信号は、システムバス経由で表示駆動部１４に転送され、被写体像確認用のモニター画として背面の表示部２に表示される。
【００２３】
そして、レリース釦６が押下されると、撮像回路部１３から出力されるカラー画像信号は、バッファメモリ１５に取り込まれ、画像処理部１６によって圧縮符号化が施されて画像保存メモリ１７に撮影画像として記録される。
【００２４】
アルバムモード時を含む再生時には、この画像保存メモリ１７に記録された撮像画像は、画像処理部１６により読み出され、伸長復号化が施された後、表示駆動部１４に供給されて表示部２に表示される。
【００２５】
以上のようなカメラ１の動作は、ＣＰＵ１８によって統合的に制御されており、ＲＯＭ１９には、このＣＰＵ１８の制御手順を記述したプログラムやこのプログラムに引数として渡される各種設定値などが格納される。また、このＣＰＵ１８に対しては、操作部２０からの制御信号が供給される。操作部２０は、モードダイヤル３、ＸＹ操作キー４、ＯＫキー５、レリース釦６などの操作を検知して通知するものである。また、ＣＰＵ１８は、各部に動作用の電力を供給する電源２１の制御も実行する。
【００２６】
図３は、アルバムモード時における画像の表示例を示す図である。図示のように、縦方向に４つのグループが並べられ（ａ１）、横方向には各グループに属する画像が４つずつ並べられる（ａ２）。左端の列の図形は、グループを示す図形で、グループの番号が付される。なお、この縦横の関係は単なる例示であり、縦横を互いに入れ替えても構わない。また、同時表示されるグループおよび画像の数も種々に変更可能である。各グループ毎の表示画像数は、１つであっても構わない。
【００２７】
また、この４つのグループが同時に提示されるアルバムモード時の画面上では、どのグループが選択された状態にあるかを示すアクティブ枠（ａ３）が表示される。ここでは、４番のグループが選択された状態にある。この状態で、ＸＹ操作キー４の上下キー４ａが下向きに操作されると、グループ配列がスクロールされる。つまり、現在の１番〜４番のグループ配列が、下キーが押下されると２番〜５番、３番〜６番へとスクロールするように切り替わっていく。また、ＸＹ操作キー４の左右キー４ｂが操作されると、アクティブ枠が置かれたグループ内の画像列が左または右にスクロールするように切り替わっていく。
この画像列は、そのグループに属する画像が順番に並んだものである。ここでは、４番のグループの画像列がスクロールされる。
【００２８】
縦方向のスクロールは、上下キー４ａが押下されている間だけ行われ、一方、横方向のスクロールは、左右キー４ｂが１回押下されると低速で、更に同一方向にもう１回押下されると高速で行われる。そして、この横方向のスクロールは、その時の速度に関わらず、逆方向に左右キー４ｂが押下された場合に停止する。この表示制御は、すべてＣＰＵ１８で実行されるプログラムによりソフトウェア的に司られている。
【００２９】
ここで、図４乃至図６を参照して、このカメラ１のアルバムモード時における表示画面の遷移例を具体的に説明する。
【００３０】
いま、カメラ１はアルバムモードに設定されており、表示部２の表示は図４（Ａ）の状態にあるものとする。つまり、１番〜４番のグループの各画像が表示され、この４つのグループのうちの１番のグループが選択状態にある。この状態で、ＸＹ操作キー４の上下キー４ａが下向きに操作されると（ｂ１）、アクティブ枠が下に移動して、２番のグループが選択状態となる（図４（Ｂ））。
【００３１】
また、この図４（Ｂ）の状態から更にＸＹ操作キー４の上下キー４ａが下向きに操作されると（ｂ２）、アクティブ枠がもう１段下に移動して、今度は３番のグループが選択状態となる（図４（Ｃ））。逆に、図４（Ｃ）の状態からＸＹ操作キー４の上下キー４ａが上向きに操作されると（ｂ３）、アクティブ枠が上に移動して、２番のグループが選択状態となって図４（Ｂ）の状態に戻り、更に上向きに操作されると（ｂ４）、アクティブ枠がもう１段上に移動して、１番のグループが選択状態となって図４（Ａ）の状態にまで戻る。このように、ＸＹ操作キー４の上下キー４ａを操作することにより、ユーザは、任意のグループを選択状態とすることができる。
【００３２】
また、今度は、ＸＹ操作キー４の上下キー４ａの操作に加えて、左右キー４ｂが操作された場合の例について説明する。ここでは、まず、表示部２の表示が図５（Ａ）の状態にあるものと想定する。つまり、１番〜４番のグループの各画像が表示され、この４つのグループのうちの３番のグループが選択状態にある。
【００３３】
この状態で、ＸＹ操作キー４の左右キー４ｂが右向きに操作されると（ｃ１）、３番のグループ内の画像列が低速で右方向にスクロールする（図５（Ｂ））。つまり、右端の画像が消えると同時に左端に新たな画像が現れるように画像列が切り替わっていく。左から右に向かって撮影日時の古いものから新しいものへと画像が並べられているとすると、この操作によって、３番のグループ内の画像を時系列的に遡って検索できる。
【００３４】
また、この図５（Ｂ）の状態から更にＸＹ操作キー４の左右キー４ｂが右向きに操作されると（ｃ２）、そのスクロールの速さが高速になる（図５（Ｃ））。一方、この図５（Ｂ）の状態からＸＹ操作キー４の左右キー４ｂが逆方向の左向きに操作されると（ｃ３）、そのスクロールをいったん停止する（図５（Ｄ））。そして、更に左向きに操作されると（ｃ４）、今度は左方向に低速でスクロールし始める（図５（Ｅ））。これにより、３番のグループ内の画像を時系列的に沿って検索できる。
【００３５】
そして、図５（Ｂ）の状態、つまり３番のグループ内の画像列が低速で右方向にスクロールした状態で、ＸＹ操作キー４の上下キー４ａが上向きに操作されると（ｃ５）、このカメラ１では、３番のグループについてのスクロールを維持しながら、アクティブ枠を２番のグループに移動する（図５（Ｆ））。この状態で、ＸＹ操作キー４の左右キー４ｂが左右いずれかの向きに操作されると、３番のグループについてのスクロールとは別個に、２番のグループについてのスクロールが新たに開始される。つまり、例えば図６に示すように、このカメラ１では、１番〜４番のグループのうち、２番のグループ内の画像列は右方向に高速でスクロールさせ、３番のグループ内の画像列は右方向に低速でスクロールさせ、４番のグループ内の画像列は左方向に低速でスクロールさせるといったことを同時進行できる。これにより、グループ内の画像を効率的に検索することが可能となる。
【００３６】
次に、図７乃至図９のフローチャートを参照して、カメラ１のアルバムモード時における表示制御に関わる動作手順を説明する。図７には、アルバムモード時におけるメイン動作の流れが示されている。
【００３７】
アルバムモードに設定されると、ＣＰＵ１８は、まず、図８にその詳細な手順が示されるグループの特定処理を実行する（ステップＡ１）。このグループの特定処理では、ＣＰＵ１８は、操作部２０から通知される上下キー４ａの操作に応じて（ステップＢ１）、選択状態とすべきグループを特定する（ステップＢ２）。
【００３８】
このグループの特定処理が終了すると、ＣＰＵ１８は、今度は、図９にその詳細な手順が示されるスクロールの指示処理を実行する（ステップＡ２）。このスクロールの指示処理では、ＣＰＵ１８は、操作部２０から通知される左右キー４ｂの操作に応じて（ステップＣ１）、スクロールの方向を決定すると共に（ステップＣ２）、そのスクロールの速度を決定する（ステップＣ３）。
【００３９】
そして、このスクロールの指示処理が終了すると、ＣＰＵ１８は、ステップＡ１でのグループの特定処理結果とステップＡ２でのスクロールの指示処理結果とに基づき、画像保存メモリ１７からの画像データの読み出しを行う（ステップＡ３）。そして表示駆動部１４を制御して、この読み出した画像データの表示部２への表示処理を実行する（ステップＡ４）。
【００４０】
以上のように、このカメラ１は、同時表示される複数のグループ（アルバム）それぞれの画像を各グループ毎に別個にスクロールさせることができる。これによりこのカメラ１は、グループ分けされて管理された画像群から目的の画像を効率的に検索することを実現する。
【００４１】
（第２実施形態）
次に、この発明の第２実施形態について説明する。
【００４２】
本実施形態は、本願発明を医療画像（内視鏡画像やレントゲン写真、口腔写真、歯）などいわゆる医療系画像の閲覧に応用した例である。図１０は、第２の実施形態における表示例である。例えば、表示装置である画像モニタ装置（医療画像ビュワー）の前面の表示画面である。画像モニタ装置の前面の大部分を表示画面であるデータ表示パネルが占め、右下にスクロール指示用のコントロールボタンが配置されている。この画面に患部の画像が表示される。病院では、この患部の画像に患者さん情報や診察日情報を付加し、情報が付加された患部さんの画像を患者さんの診察日でグループ化して、これをハードディスク等に保存管理している。このグループで管理される患部の画像を表示する表示制御の処理を以下で説明する。
【００４３】
図１０に表示される患部の画像は、同一の患者さんの診察日の異なるものである。つまり同一診察日の画像がひとつのグループになっている。画面の左端縦列にグループを示す図形を表示させる。グループを示す図形には、この図では不図示であるが、さらに各診察年月日を重畳させて表示させる。そして、その図形の横にその診察日に撮影された患部の画像を横方向に撮影順番で並べて表示させる。患部画像中のアルファベット（Ａ、Ｂ等）は、先生によって備考として記入されたチェック記号である。
【００４４】
詳細な使用手順は図４と同様なので詳細を略し簡単に説明する。コントロールボタンが切換え指示部及び選択指示部に相当する。このコントロールボタンでスクロールさせたいグループが選択され、次に、スクロール方向とスクロールスピードが選択されて、アクティブにされたグループの患部画像が指示に応じてスクロール移動される。また同様に他のグループについても適宜スクロールされて画像が切り替る。このような操作を医師は行い、異なる診察日の患部の画像を同じ画面上に表示させて、患部について他の診察日と比較ができるようになる。
【００４５】
以上本願発明を特定の患者さんの経過を一覧表示させるシステムに適用することで、医師は各部位の時間経過による変遷が一覧で見ることができ、また患者さんへの説明等の際にも効果的な説明ができるようになる。
【００４６】
なお、上記第１の実施形態では、ＸＹ操作キー４を、上下キー４ａと左右キー４ｂとで構成し、グループの選択（選択指示部）を上下キー４ａ、スクロール操作（切換え指示部）を左右キー４ｂと異なるボタンで行う例を説明したが、この点は本発明の手法の本質部分ではなく、例えばＸＹ操作キー４を、上下左右いずれにも操作可能な単一の部材で構成し、１つのボタンでグループの選択およびスクロール操作の双方を行うように変形することは本発明の範疇で容易に可能である。
【００４７】
以上説明した２つの実施形態より以下の発明が構成される。
【００４８】
１）画像を表示する表示部（表示部２）と、グループ分けされた画像を各グループ毎に複数グループ同時に前記表示部に表示させるとともに、表示される画像の切換えを制御する制御部（ＣＰＵ１８）と、表示部に表示される画像の切換えを指示する切換え指示部（左右キー４ｂ）と、表示部に表示される複数のグループの中からグループを選択する選択指示部（上下キー４ａ）と、を備え
前記制御部は、前記指示部による切換えの指示があったときには、画面に表示されている画像の中で、前記選択指示部により選択されたグループとして表示される画像についてのみ、前記指示に応じて切り替えることを特徴とする表示装置。
【００４９】
２）上記１）記載の表示装置と、被写体像を撮影する撮像部とを備え、
前記制御部は、前記撮像部により撮影された画像をグループ分けされた画像としてを表示部に表示させることを特徴とするカメラ（カメラ１）。
【００５０】
３）グループで管理される画像を表示部に表示する表示方法において、グループ分けされて管理された画像を各グループ毎に複数グループ同時に表示し、画像の切換えの指示があったときには、前記複数のグループの中から任意に選択されるグループについて、そのグループで表示される画像を切り替え指示に応じて切り替えることを特徴とする表示方法。
【００５１】
４）グループで管理される画像を表示部に表示する表示方法をコンピュータに実行させるプログラムを記憶したコンピュータ読み取り可能な記憶媒体において、
前記表示方法は、グループ分けされて管理された画像を各グループ毎に複数グループ同時に表示し、画像の切換えの指示があったときには、前記複数のグループの中から任意に選択されるグループについて、そのグループで表示される画像を切り替え指示に応じて切り替えることを特徴とするコンピュータ読み取り可能な記憶媒体。
【００５２】
５）グループで管理される画像を表示部に表示する表示方法をコンピュータに実行させるプログラムにおいて、
前記表示方法は、グループ分けされて管理された画像を各グループ毎に複数グループ同時に表示し、画像の切換えの指示があったときには、前記複数のグループの中から任意に選択されるグループについて、そのグループで表示される画像を切り替え指示に応じて切り替えることを特徴とするプログラム。
【００５３】
なお、実施形態１では表示装置がカメラに搭載された例で説明したが、表示装置が単体の製品であっても当然良い。
また、実施形態１ではカメラを例に説明したが、これに限られるものではなく、本発明の制御手法は、例えばＰＤＡやパーソナルコンピュータ、携帯電話機等、種々の電子機器に応用することが可能である。
【００５４】
また、ＣＰＵ１８に対し上記機能を実行するソフトウェアのプログラムを供給し、このＣＰＵ１８が、供給されたプログラムに従って上記動作させることにより上記実施の形態の機能を実現したものも、本発明の範疇に含まれる。つまり上記ソフトウェアのプログラム自体が上述した実施の形態の機能を実現することになり、そのプログラム自体は本発明を構成する。
【００５５】
また、これらのプログラムは前述のＲＯＭ１９以外の記録媒体の形式で記憶され、そこから読み出されて実行されていも良い。更に、上記プログラムはカメラ１に着脱可能な記録媒体に格納されても良い。記録媒体としては、フロッピィディスク（登録商標）、ＣＤ−ＲＯＭの他にも、ＤＶＤ等の光学記録媒体、ＭＤ等の磁気記録媒体、テープ媒体、ＩＣカード等の半導体メモリ等を用いることができる。
【００５６】
また、専用通信ネットワークやインターネットに接続されたサーバシステムに設けたハードディスクまたはＲＡＭ等の格納装置を記録媒体として使用し、通信網を介してプログラムをカメラ１に提供してもよい。あるいは他のアプリケーションソフト等と協働して上述の実施の形態の機能が実現される場合にも、かかるプログラムが本発明の実施の態様に含まれることはいうまでもない。
【００５７】
また、本実施の形態ではその処理を、プログラムをCPU１８上で実行して実現するものとしているが、これに限られることはなく、例えば、各処理の一部または全部をハードウェアにより実現するようにしても良い。
【００５８】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５９】
【図１】本発明の第１実施形態に係るデジタルカメラの背面図
【図２】同実施形態のカメラの構成を示すブロック図
【図３】同実施形態のカメラのアルバムモード時における画像の表示例を示す図
【図４】同実施形態のカメラのアルバムモード時における表示画面の遷移例を具体的に説明するための第１の図
【図５】同実施形態のカメラのアルバムモード時における表示画面の遷移例を具体的に説明するための第２の図
【図６】同実施形態のカメラのアルバムモード時における表示画面の遷移例を具体的に説明するための第３の図
【図７】同実施形態のカメラのアルバムモード時におけるメイン動作の流れを示すフローチャート
【図８】同実施形態のカメラの（アルバムモード時における）グループの特定処理の詳細な手順を示すフローチャート
【図９】同実施形態のカメラの（アルバムモード時における）スクロールの指示処理の詳細な手順を示すフローチャート
【図１０】同第２実施形態の画像モニタ（医療画像ビューワ）の表示例を示す図
【符号の説明】
【００６０】
１…デジタルカメラ、２…表示部、３…モードダイヤル、４…ＸＹ操作キー、４ａ…上下キー、４ｂ…左右キー、５…ＯＫキー、６…レリース釦、１１…レンズ、１２…撮像素子、１３…撮像回路部、１４…表示駆動部、１５…バッファメモリ、１６…画像処理部、１７…画像保存メモリ、１８…ＣＰＵ、１９…ＲＯＭ、２０…操作部、２１…電源。
【図１】
2006268010.tif 000003
【図２】
2006268010.tif 000004
【図３】
2006268010.tif 000005
【図４】
2006268010.tif 000006
【図５】
2006268010.tif 000007
【図６】
2006268010.tif 000008
【図７】
2006268010.tif 000009
【図８】
2006268010.tif 000010
【図９】
2006268010.tif 000011
【図１０】
2006268010.tif 000012